【手続補正書】
【提出日】平成29年4月26日(2017.4.26)
【手続補正１】
【補正対象書類名】明細書
【補正対象項目名】０００９
【補正方法】変更
【補正の内容】
【０００９】
上記目的を達成するために、請求項１の情報処理装置は、通常モードとファームウェアを更新するための更新モードとで動作可能な情報処理装置であって、前記情報処理装置のファームウェアを更新するための更新ファームウェアを取得する取得時刻と、前記更新ファームウェアを用いて前記情報処理装置のファームウェアを更新する更新時刻とを設定する設定手段と、前記取得時刻に達した場合に前記更新ファームウェアを取得する取得手段と、前記更新ファームウェアを所定の領域に展開する展開手段と、前記更新ファームウェアの前記所定の領域への展開が完了したか否かを判定する判定手段と、前記更新時刻に達し、かつ、前記更新ファームウェアの前記所定の領域への展開が完了したと前記判定手段によって判定された場合に、前記情報処理装置を前記通常モードから前記更新モードに移行させる制御手段であって、前記更新時刻に達し、かつ、前記更新ファームウェアの前記所定の領域への展開が完了していないと前記判定手段によって判定された場合に、前記更新ファームウェアの前記所定の領域への展開を中断したうえで前記情報処理装置を前記通常モードから前記更新モードに移行させる制御手段とを備えることを特徴とする。
上記目的を達成するために、請求項４の情報処理装置は、通常モードとファームウェアを更新するための更新モードとで動作可能な情報処理装置であって、前記情報処理装置のファームウェアを更新するための更新ファームウェアを取得する取得時刻と、前記更新ファームウェアを用いて前記情報処理装置のファームウェアを更新する更新時刻とを設定する設定手段と、前記取得時刻に達した場合に前記更新ファームウェアを取得する取得手段と、前記更新ファームウェアを所定の領域に展開する展開手段と、前記更新ファームウェアの前記所定の領域への展開が完了したか否かを判定する判定手段と、前記更新時刻に達し、かつ、前記更新ファームウェアの前記所定の領域への展開が完了したと前記判定手段によって判定された場合に、前記情報処理装置を前記通常モードから前記更新モードに移行させる制御手段であって、前記更新時刻に達し、かつ、前記更新ファームウェアの前記所定の領域への展開が完了していないと前記判定手段によって判定された場合に、前記更新ファームウェアの前記所定の領域への展開が完了することを待ったうえで前記情報処理装置を前記通常モードから前記更新モードに移行させる制御手段とを備えることを特徴とする。
【手続補正２】
【補正対象書類名】特許請求の範囲
【補正対象項目名】全文
【補正方法】変更
【補正の内容】
【特許請求の範囲】
【請求項１】
通常モードとファームウェアを更新するための更新モードとで動作可能な情報処理装置であって、
前記情報処理装置のファームウェアを更新するための更新ファームウェアを取得する取得時刻と、前記更新ファームウェアを用いて前記情報処理装置のファームウェアを更新する更新時刻とを設定する設定手段と、
前記取得時刻に達した場合に前記更新ファームウェアを取得する取得手段と、
前記更新ファームウェアを所定の領域に展開する展開手段と、
前記更新ファームウェアの前記所定の領域への展開が完了したか否かを判定する判定手段と、
前記更新時刻に達し、かつ、前記更新ファームウェアの前記所定の領域への展開が完了したと前記判定手段によって判定された場合に、前記情報処理装置を前記通常モードから前記更新モードに移行させる制御手段であって、前記更新時刻に達し、かつ、前記更新ファームウェアの前記所定の領域への展開が完了していないと前記判定手段によって判定された場合に、前記更新ファームウェアの前記所定の領域への展開を中断したうえで前記情報処理装置を前記通常モードから前記更新モードに移行させる制御手段とを備えることを特徴とする情報処理装置。
【請求項２】
前記制御手段が前記更新ファームウェアの前記所定の領域への展開を中断して前記情報処理装置が前記更新モードに移行した後、前記展開手段は、前記更新ファームウェアの前記所定の領域への展開を最初から行うことを特徴とする請求項１に記載の情報処理装置。
【請求項３】
前記制御手段が前記更新ファームウェアの前記所定の領域への展開を中断して前記情報処理装置が前記更新モードに移行した後、前記展開手段は、前記更新ファームウェアの前記所定の領域への展開を続きから行うことを特徴とする請求項１に記載の情報処理装置。
【請求項４】
通常モードとファームウェアを更新するための更新モードとで動作可能な情報処理装置であって、
前記情報処理装置のファームウェアを更新するための更新ファームウェアを取得する取得時刻と、前記更新ファームウェアを用いて前記情報処理装置のファームウェアを更新する更新時刻とを設定する設定手段と、
前記取得時刻に達した場合に前記更新ファームウェアを取得する取得手段と、
前記更新ファームウェアを所定の領域に展開する展開手段と、
前記更新ファームウェアの前記所定の領域への展開が完了したか否かを判定する判定手段と、
前記更新時刻に達し、かつ、前記更新ファームウェアの前記所定の領域への展開が完了したと前記判定手段によって判定された場合に、前記情報処理装置を前記通常モードから前記更新モードに移行させる制御手段であって、前記更新時刻に達し、かつ、前記更新ファームウェアの前記所定の領域への展開が完了していないと前記判定手段によって判定された場合に、前記更新ファームウェアの前記所定の領域への展開が完了することを待ったうえで前記情報処理装置を前記通常モードから前記更新モードに移行させる制御手段とを備えることを特徴とする情報処理装置。
【請求項５】
前記取得手段は、外部のサーバから前記更新ファームウェアを取得することを特徴とする請求項１乃至４のいずれか１項に記載の情報処理装置。
【請求項６】
前記情報処理装置は印刷を実行する印刷装置であることを特徴とする請求項１乃至５のいずれか１項に記載の情報処理装置。
【請求項７】
前記取得時刻と前記更新時刻とをユーザが指定するための設定画面を表示する表示手段を更に備えることを特徴とする請求項１乃至６のいずれか１項に記載の情報処理装置。
【請求項８】
通常モードとファームウェアを更新するための更新モードとで動作可能な情報処理装置の制御方法であって、
前記情報処理装置のファームウェアを更新するための更新ファームウェアを取得する取得時刻と、前記更新ファームウェアを用いて前記情報処理装置のファームウェアを更新する更新時刻とを設定する設定ステップと、
前記取得時刻に達した場合に前記更新ファームウェアを取得する取得ステップと、
前記更新ファームウェアを所定の領域に展開する展開ステップと、
前記更新ファームウェアの前記所定の領域への展開が完了したか否かを判定する判定ステップと、
前記更新時刻に達し、かつ、前記更新ファームウェアの前記所定の領域への展開が完了したと判定された場合に、前記情報処理装置を前記通常モードから前記更新モードに移行させる制御ステップであって、前記更新時刻に達し、かつ、前記更新ファームウェアの前記所定の領域への展開が完了していないと判定された場合に、前記更新ファームウェアの前記所定の領域への展開を中断したうえで前記情報処理装置を前記通常モードから前記更新モードに移行させる制御ステップとを備えることを特徴とする制御方法。
【請求項９】
通常モードとファームウェアを更新するための更新モードとで動作可能な情報処理装置の制御方法であって、
前記情報処理装置のファームウェアを更新するための更新ファームウェアを取得する取得時刻と、前記更新ファームウェアを用いて前記情報処理装置のファームウェアを更新する更新時刻とを設定する設定ステップと、
前記取得時刻に達した場合に前記更新ファームウェアを取得する取得ステップと、
前記更新ファームウェアを所定の領域に展開する展開ステップと、
前記更新ファームウェアの前記所定の領域への展開が完了したか否かを判定する判定ステップと、
前記更新時刻に達し、かつ、前記更新ファームウェアの前記所定の領域への展開が完了したと判定された場合に、前記情報処理装置を前記通常モードから前記更新モードに移行させる制御ステップであって、前記更新時刻に達し、かつ、前記更新ファームウェアの前記所定の領域への展開が完了していないと判定された場合に、前記更新ファームウェアの前記所定の領域への展開が完了することを待ったうえで前記情報処理装置を前記通常モードから前記更新モードに移行させる制御ステップとを備えることを特徴とする制御方法。
【請求項１０】
請求項８または９に記載の制御方法をコンピュータに実行させるためのプログラム。